(57)【特許請求の範囲】
【請求項１】
湯沸かしタンクと水栓とをつなぐ出湯管路にアスピレーターを設け、該アスピレーターから分岐した分岐管路を排水管に接続してなる元止め式電気温水器において、
前記水栓とアスピレーターとの間に、水栓側からの水の逆流を防ぐ逆止弁を設けたことを特徴とする元止め式電気温水器。
【請求項２】
前記分岐管路に、前記排水管側からの空気の侵入を防ぐ逆止弁を設けたことを特徴とする請求項１に記載の元止め式電気温水器。
【発明の詳細な説明】
【技術分野】
【０００１】
本発明は、元止め式電気温水器に関するものである。
【背景技術】
【０００２】
従来、湯沸かしタンクの上流側で流路を閉鎖できる元止め式の温水器として、例えば特許文献１に開示されているような構造のものが存在し、特許文献１に開示されている元止め式電気温水器においては、吐水後の出湯管内の水位を下げることで、膨張水による水位上昇を補うとともに、時間経過後の再吐水時に冷水が出ないようにしている。
即ち、図５に示すように、湯沸かしタンク２と自動水栓９とをつなぐ出湯管路８にアスピレーター６が設けられ、このアスピレーター６から分岐した分岐管路１８は排水管２０に接続されており、自動水栓９の吐水口９ａから吐水させた後に出湯管路８内の水位Ｐを下げることで、アスピレーター６から自動水栓９に至る立上管８ａ内が空の状態となるようにしている。
【特許文献１】特許第３７６４５９１号公報
【発明の開示】
【発明が解決しようとする課題】
【０００３】
このような元止め式の電気温水器において、吐水口９ａには細かい網目のフィルター等が設けられているため表面張力が作用し、吐水後に、下向きの吐水口９ａ内に残水Ｗが残されることとなる。
この状態で、湯沸かしタンク２内で湯の沸き上げが開始されると、図６に示すように、膨張水により水位Ｐが少し上昇されることとなり、この水位Ｐの上昇により、立上管８ａ内の空気が押圧され、これにより吐水口９ａ内に残されている残水Ｗが押し出されて、自動水栓の吐水口９ａからポタポタと水滴が漏れ出し、あたかも自動水栓９が止水不良であるような感じを与えてしまうという問題点があった。
【０００４】
本発明は上記従来の問題点に鑑み案出したものであって、湯沸かしタンク内での湯の沸き上げ時に、水栓からのポタ漏れを無くすことのできる元止め式電気温水器を提供することを目的とする。
【課題を解決するための手段】
【０００５】
本発明は上記目的を達成するために以下の手段を採った。
【０００６】
本発明は、湯沸かしタンクと水栓とをつなぐ出湯管路にアスピレーターを設け、該アスピレーターから分岐した分岐管路を排水管に接続してなる元止め式電気温水器において、前記水栓とアスピレーターとの間に、水栓側からの水の逆流を防ぐ逆止弁を設けたことを要旨とする。
【発明の効果】
【０００７】
水栓とアスピレーターとの間に、水栓側からの水の逆流を防ぐ逆止弁を設けたことにより、吐水後に、逆止弁により水位が下がらないために、水栓とアスピレーターとの間の管路内は水が充満された状態に維持され、アスピレーターに上方からの水のヘッド圧がかかることとなり、この状態で、湯沸かしタンク内で湯の沸き上げが行われると、ヘッド圧がアスピレーターにかかっているために、膨張水は、低圧側の分岐管路を通り排水管側に流れて排水されることとなり、水栓の吐水口からポタポタと水が漏れ出すことがない。
【０００８】
また、水栓とアスピレーターとの間に逆止弁を設けた構成の元止め式電気温水器において、分岐管路に、排水管側からの空気の侵入を防ぐ逆止弁を設けて構成することもできる。
このように構成すれば、たとえアスピレーターと水栓間の管路が太い場合であっても、分岐管路を通り排水管側から空気がアスピレーターと水栓間の管路内に入ることがなく、水栓とアスピレーターとの間の管路内は水が充満された状態に維持され、アスピレーターにはヘッド圧がかかるために、湯沸かしタンク内で湯の沸き上げが行われると、排水管側に膨張水が流れて、水栓からポタポタと水滴が漏れることがない。
【発明を実施するための最良の形態】
【０００９】
次に、本発明を実施するための最良の形態を実施例を用いて説明する。
図１は、元止め式電気温水器の概略配置構成図である。
自動水栓９が取り付けられている洗面器２１の下方のキャビネット内部に設置される電気温水器本体１内には、湯沸かしタンク２と、電磁弁３と、基板４と、温調弁５と、アスピレーター６と、逆止弁７が設けられている。
湯沸かしタンク２は、内部にヒーター２ａを備えており、ヒーター２ａにより内部で湯が生成されて貯えられるものである。
湯沸かしタンク２の側面には、湯の沸き上げ温度が８０〜８５℃程度となるように調整する温調バイメタル１５と、高温となった時に自動的にヒーター２ａへの通電を遮断できる過昇バイメタル１６が設けられており、過昇バイメタル１６にはスイッチ１７が接続されている。
【００１０】
また、電磁弁３は給水管１１内に設けられており、給水管１１には、元栓１２を通り定流量弁１３を介して水道管からの水が供給されるように構成されている。
電磁弁３は、洗面器２１上に立設状に設置した自動水栓９のセンサー１０が人の手を検知した時に開かれるものであり、基板４により開閉制御されるものである。
この電磁弁３の下流側で第１枝管１４ａと第２枝管１４ｂに分岐されており、第１枝管１４ａは湯沸かしタンク２の底面に接続されて湯沸かしタンク２内に給水できるものであり、また、第２枝管１４ｂは、湯沸かしタンク２の出口側の出湯管路８に設けられた温調弁５に接続されている。
【００１１】
この温調弁５では、湯沸かしタンク２内からの湯と、第２枝管１４ｂから供給される水を混合して、３６〜３８℃の適温のお湯に調整することができるものである。
出湯管路８内の温調弁５の下流側に、アスピレーター６と、更にその下流側に逆止弁７が設けられ、この逆止弁７の下流側で、出湯管路８の一部が上方へ立ち上げられた立上管８ａが形成されており、立上管８ａの上端に自動水栓９が接続されている。なお、前記立上管８ａは、逆止弁７の下流側に継手２２を設けて接続した構成であっても良い。
【００１２】
また、アスピレーター６から分岐して分岐管路１８が設けられており、この分岐管路１８は図２の概略図で示すように、内部にトラップ１９ａを有する排水器具１９を介して排水管２０に接続されている。
【００１３】
次に、元止め式電気温水器の動作を説明する。
自動水栓９の吐水口９ａの下方に手を差し入れると、センサー１０で手が検知され、このセンサー１０の検知信号が基板４に伝えられて、基板４からの信号で電磁弁３が開かれる。これにより、湯沸かしタンク２内に貯えられている湯が出湯管路８を通り、温調弁５で適温に調整されて、アスピレーター，逆止弁７を通り立上管８ａを上昇して自動水栓９の吐水口９ａから吐水されるものである。
吐水口９ａから手が離れると、電磁弁３が閉じられて吐水口９ａからの吐水が停止されるが、この状態で、逆止弁７が設けられているため、自動水栓９内の水および立上管８ａ内の水は上流側へ戻ることがなく、立上管８ａおよび自動水栓９内に水が満たされたままの状態となる。
なお、吐水口９ａには、細かい網目のフィルター、あるいは泡沫水生成用の網体が設けられており、細かい網目であるため表面張力が強く作用し、吐水口９ａが下向きであっても、水は外側へ落下しないものである。
【００１４】
このような状態において、アスピレーター６には、立上管８ａおよび自動水栓９内に満たされている残水によるヘッド圧がかかっているために、湯沸かしタンク２内で湯を沸き上げる時に、図３に示すように、湯沸かしタンク２からの膨張水は、低圧側の分岐管路１８を通り排水管２０に排水されることとなる。
従って、湯沸かしタンク２で湯を沸き上げた時にも、従来のように残水が吐水口９ａからポタポタと漏れ出すことはない。
【００１５】
このように本発明の元止め式電気温水器では、自動水栓９とアスピレーター６との間に、自動水栓９側からの水の逆流を防ぐ逆止弁７を設けたことで水位が下がらず、アスピレーター６にヘッド圧をかけることができ、これにより湯沸しタンク２で沸き上げが行われると排水管２０側に膨張水を良好に流すことができ、吐水口９ａからのポタ漏れを無くすことができるものである。
【００１６】
次に、図４は変更例を示すものである。
図において、水道管からの水が供給される給水管１１は、電磁弁３の下流側で第１枝管１４ａと第２枝管１４ｂに分岐され、第１枝管１４ａは湯沸かしタンク２の底面に接続され、第２枝管１４ｂは、湯沸かしタンク２の出口側の出湯管路８に設けられた温調弁５に接続されている。出湯管路８の温調弁５の下流側にアスピレーター６と、更にその下流側に逆止弁７が設けられ、この逆止弁７の下流側で、出湯管路８の一部の立上管８ａが継手２２を介して上方へ立ち上げられ、立上管８ａの上端に自動水栓９が接続されている。また、アスピレーター６から分岐管路１８が設けられ、この分岐管路１８は排水器具１９を介して排水管２０に接続されている。
【００１７】
図４では、分岐管路１８内に逆止弁２３を設けたものであり、この逆止弁２３で排水管２０側からの空気の侵入を防ぐことができるものとなる。
即ち、立上管８ａが太い場合であっても、立上管８ａおよび自動水栓９内に排水管２０側から空気が入り込むことが逆止弁２３により阻止されるため、立上管８ａおよび自動水栓９内には空気が入らず、そのため自動水栓９および立上管８ａ内は残水で満たされたままの状態に維持されるものである。そのため、アスピレーター６には立上管８ａおよび自動水栓９内の残水によるヘッド圧がかかっているため、湯沸かしタンク２で沸き上げが行われても、膨張水は良好にアスピレーター６から分岐管路１８を通り排水管２０に排出されて、吐水口９ａから水滴がポタ漏れすることがないものである。
【図面の簡単な説明】
【００１８】
【図１】元止め式電気温水器の概略配置構成図である。
【図２】湯沸かしタンクと自動水栓間の管路配置構成図であり、吐水後に残水が残されたままの状態を示している。
【図３】図２の状態から、湯沸かしタンクで沸き上げが行われた時に膨張水が排水管から排出される流れを示す概略構成図である。
【図４】アスピレーターの分岐管路内に逆止弁を設けた変更例の湯沸かしタンクと水栓と排水管周辺の配置構成図である。
【図５】従来の吐水後の水位を示す概略配置構成図である。
【図６】従来、湯沸かしタンクで沸き上げ中の水位を示す概略構成図である。
【符号の説明】
【００１９】
１  電気温水器本体
２  湯沸かしタンク
２ａ  ヒーター
３  電磁弁
５  温調弁
６  アスピレーター
７  逆止弁
８  出湯管路
８ａ  立上管
９  自動水栓
９ａ  吐水口
１０  センサー
１１  給水管
１４ａ  第１枝管
１４ｂ  第２枝管
１８  分岐管路
１９  排水器具
２０  排水管
２３  逆止弁
【図１】
0004986767.tif 000002
【図２】
0004986767.tif 000003
【図３】
0004986767.tif 000004
【図４】
0004986767.tif 000005
【図５】
0004986767.tif 000006
【図６】
0004986767.tif 000007